(57)【要約】【課題】ユニタリー空調に接続した場合、ユニタリー空調の温度調節開始時に外気導入をしないことにより、ユニタリー空調の温度調節効率を高めることができる熱交換形換気装置を提供する。【解決手段】制御部１１は、室内温度検出手段により検出した室内温度をＴｉ、ユニタリー空調の設定温度をＴｕ、所定温度をα１、α２とすると、「ユニタリー空調１４がＯＮ」且つ「Ｔｉ≦Ｔｕ−α１またはＴｕ＋α２≦Ｔｉ」である場合は、「排気用送風機１０がＯＦＦ」且つ「給気風量調整ダンパ１６が閉」となるように制御し、「ユニタリー空調１４がＯＮ」且つ「Ｔｕ−α１＜Ｔｉ＜Ｔｕ＋α２」である場合は、「排気用送風機１０がＯＮ」且つ「給気風量調整ダンパ１６が開」となるように制御することを特徴とする熱交換形換気装置。【選択図】図３
2019027606.tif 000002
【特許請求の範囲】
【請求項１】
給気用モータを備えた給気用送風機と、
排気用モータを備えた排気用送風機と、
前記給気用送風機により屋外から室内に送風される給気経路と、
前記排気用送風機により室内から屋外に送風される排気経路と、
前記給気経路と前記排気経路とが交差する位置に設けられ、室内の空気と屋外の空気を換気する際に熱交換するための熱交換素子と、
前記給気経路内に設けられた給気風量調整ダンパとを備えた熱交換形換気装置において、
制御部により、前記給気用送風機のＯＮ／ＯＦＦ、前記排気用送風機のＯＮ／ＯＦＦ、および前記給気風量調整ダンパの開／閉を制御し、
前記給気経路はユニタリー空調の循環風路に直接的に接続され、
前記排気経路は前記循環風路以外の屋内空間に直接的に接続され、
前記排気経路内であって前記熱交換素子の上流側に室内温度検出手段を設け、
前記室内温度検出手段により検出した室内温度をＴｉ、前記ユニタリー空調の設定温度をＴｕ、所定温度をα１、α２とすると、
前記制御部は、
「前記ユニタリー空調がＯＮ」且つ「Ｔｉ≦Ｔｕ−α１またはＴｕ＋α２≦Ｔｉ」である場合は、「前記排気用送風機がＯＦＦ」且つ「前記給気風量調整ダンパが閉」となるように制御し、
「前記ユニタリー空調がＯＮ」且つ「Ｔｕ−α１＜Ｔｉ＜Ｔｕ＋α２」である場合は、「前記排気用送風機がＯＮ」且つ「前記給気風量調整ダンパが開」となるように制御することを特徴とする熱交換形換気装置。
【請求項２】
前記制御部は、
「前記ユニタリー空調がＯＮ」且つ「Ｔｉ≦Ｔｕ−α１またはＴｕ＋α２≦Ｔｉ」である場合は、「前記給気用送風機がＯＦＦ」となるように制御することを特徴とする請求項１に記載の熱交換形換気装置。
【請求項３】
前記制御部は、
前記ユニタリー空調の設定温度Ｔｕが変更された場合、「Ｔｕ−α１＜Ｔｉ＜Ｔｕ＋α２」を満たすかどうかを再度確認し、
「前記ユニタリー空調がＯＮ」且つ「Ｔｉ≦Ｔｕ−α１またはＴｕ＋α２≦Ｔｉ」である場合は、「前記排気用送風機がＯＦＦ」且つ「前記給気風量調整ダンパが閉」となるように制御し、
「前記ユニタリー空調がＯＮ」且つ「Ｔｕ−α１＜Ｔｉ＜Ｔｕ＋α２」である場合は、「前記排気用送風機がＯＮ」且つ「前記給気風量調整ダンパが開」となるように制御することを特徴とする請求項１または２に記載の熱交換形換気装置。
【請求項４】
給気用モータを備えた給気用送風機と、
排気用モータを備えた排気用送風機と、
前記給気用送風機により屋外から室内に送風される給気経路と、
前記排気用送風機により室内から屋外に送風される排気経路と、
前記給気経路と前記排気経路とが交差する位置に設けられ、室内の空気と屋外の空気を換気する際に熱交換するための熱交換素子と、
前記給気経路内に設けられた給気風量調整ダンパと、
前記排気経路内に設けられた排気風量調整ダンパとを備えた熱交換形換気装置において、
制御部により、前記給気用送風機のＯＮ／ＯＦＦ、前記排気用送風機のＯＮ／ＯＦＦ、前記給気風量調整ダンパの開／閉、および前記排気風量調整ダンパの開／閉を制御し、
前記給気経路はユニタリー空調の循環風路に直接的に接続され、
前記排気経路は前記循環風路に直接的に接続され、
前記排気経路内であって前記熱交換素子の上流側に室内温度検出手段を設け、
前記室内温度検出手段により検出した室内温度をＴｉ、前記ユニタリー空調の設定温度をＴｕ、所定温度をα１、α２とすると、
前記制御部は、
「前記ユニタリー空調がＯＮ」且つ「Ｔｉ≦Ｔｕ−α１またはＴｕ＋α２≦Ｔｉ」である場合は、「前記給気風量調整ダンパが閉」且つ「前記排気風量調整ダンパが閉」となるように制御し、
「前記ユニタリー空調がＯＮ」且つ「Ｔｕ−α１＜Ｔｉ＜Ｔｕ＋α２」である場合は、「前記給気用送風機がＯＮ」且つ「前記排気用送風機がＯＮ」且つ「前記給気風量調整ダンパが開」且つ「前記排気風量調整ダンパが開」となるように制御することを特徴とする熱交換形換気装置。
【請求項５】
前記制御部は、
「前記ユニタリー空調がＯＮ」且つ「Ｔｉ≦Ｔｕ−α１またはＴｕ＋α２≦Ｔｉ」である場合は、「前記給気用送風機および／または前記排気用送風機がＯＦＦ」となるように制御することを特徴とする請求項４に記載の熱交換形換気装置。
【請求項６】
前記制御部は、
前記ユニタリー空調の設定温度Ｔｕが変更された場合、「Ｔｕ−α１＜Ｔｉ＜Ｔｕ＋α２」を満たすかどうかを再度確認し、
「前記ユニタリー空調がＯＮ」且つ「Ｔｉ≦Ｔｕ−α１またはＴｕ＋α２≦Ｔｉ」である場合は、「前記給気風量調整ダンパが閉」且つ「前記排気風量調整ダンパが閉」となるように制御し、
「前記ユニタリー空調がＯＮ」且つ「Ｔｕ−α１＜Ｔｉ＜Ｔｕ＋α２」である場合は、「前記給気用送風機がＯＮ」且つ「前記排気用送風機がＯＮ」且つ「前記給気風量調整ダンパが開」且つ「前記排気風量調整ダンパが開」となるように制御することを特徴とする請求項４または５に記載の熱交換形換気装置。
【請求項７】
前記給気用送風機、前記排気用送風機、および前記熱交換素子を収納する筐体を備え、
前記給気風量調整ダンパは、前記筐体の内部に設けられることを特徴とする請求項１〜６の何れか１項に記載の熱交換形換気装置。
【発明の詳細な説明】
【技術分野】
【０００１】
本発明は、外気と室内空気を熱交換する熱交換形換気装置に関するものである。
【背景技術】
【０００２】
従来、この種の換気装置としては、建物内に設置され外気を外気給気口から導入し、内蔵する熱交換素子を経て室内に供給する熱交換形換気装置が知られている（例えば、特許文献１参照）。
【０００３】
以下、その熱交換形換気装置について図７を参照しながら説明する。
【０００４】
図７に示すように、換気装置本体１０１は、建物内の屋根裏空間または天井裏空間に設置される。
【０００５】
新鮮外気は、外気給気口１０２から導入され、内蔵する熱交換素子１０３を通過して室内給気口１０４を経て室内に供給される。
【０００６】
一方、室内の汚れた空気は、室内排気口１０５から導入され、熱交換素子１０３を通過し、室外排気口１０６を経て室外に排気される。
【０００７】
外気給気口１０２から導入される新鮮外気と室内排気口１０５から導入される室内の汚れた空気は、熱交換素子１０３を経て電動機１０７に同一軸１０８にて連結された給気用送風機１０９と排気用送風機１１０により移送される構成としている。
【先行技術文献】
【特許文献】
【０００８】
【特許文献１】特開平１１−３２５５３５号公報
【発明の概要】
【発明が解決しようとする課題】
【０００９】
熱交換形換気装置は、換気をするために、給気経路または排気経路の風量を調整する必要がある。
【００１０】
従来の熱交換形換気装置の給気経路（または排気経路）とユニタリー空調（ｕｎｉｔａｒｙ  ａｉｒ  ｃｏｎｄｉｔｉｏｎｉｎｇ）の循環風路とを接続する場合、ユニタリー空調は熱交換形換気装置を通じて外気と通じるため、ユニタリー空調動作時に外気導入をしてしまうと、外気導入をせずに室内循環する場合と比較して、ユニタリー空調の温度調節の効率が下がるという課題がある。
【００１１】
そこで本発明は、ユニタリー空調の設定温度に対し、所定の範囲に室内温度がない場合、外気導入を抑えることで、ユニタリー空調の温度調節効率を高めることができる熱交換形換気装置を実現することを目的とする。
【課題を解決するための手段】
【００１２】
そして、この目的を達成するために、本発明の一態様に係る熱交換形換気装置は、給気用モータを備えた給気用送風機と、排気用モータを備えた排気用送風機と、前記給気用送風機により屋外から室内に送風される給気経路と、前記排気用送風機により室内から屋外に送風される排気経路と、前記給気経路と前記排気経路とが交差する位置に設けられ、室内の空気と屋外の空気を換気する際に熱交換するための熱交換素子と、前記給気経路内に設けられた給気風量調整ダンパとを備えた熱交換形換気装置において、制御部により、前記給気用送風機のＯＮ／ＯＦＦ、前記排気用送風機のＯＮ／ＯＦＦ、および前記給気風量調整ダンパの開／閉を制御し、前記給気経路はユニタリー空調の循環風路に直接的に接続され、前記排気経路は前記循環風路以外の屋内空間に直接的に接続され、前記排気経路内であって前記熱交換素子の上流側に室内温度検出手段を設け、前記室内温度検出手段により検出した室内温度をＴｉ、前記ユニタリー空調の設定温度をＴｕ、所定温度をα１、α２とすると、前記制御部は、「前記ユニタリー空調がＯＮ」且つ「Ｔｉ≦Ｔｕ−α１またはＴｕ＋α２≦Ｔｉ」である場合は、「前記排気用送風機がＯＦＦ」且つ「前記給気風量調整ダンパが閉」となるように制御し、「前記ユニタリー空調がＯＮ」且つ「Ｔｕ−α１＜Ｔｉ＜Ｔｕ＋α２」である場合は、「前記排気用送風機がＯＮ」且つ「前記給気風量調整ダンパが開」となるように制御することを特徴とするものであり、これにより所期の目的を達成するものである。
【発明の効果】
【００１３】
本発明によれば、ユニタリー空調の設定温度に対し、所定の範囲に室内温度がない場合、外気導入を抑えることで、ユニタリー空調の温度調節効率を高めることができる熱交換形換気装置を提供できる。
【図面の簡単な説明】
【００１４】
【図１】本発明の実施の形態１の熱交換形換気装置を示す上面断面図
【図２】同熱交換形換気装置の施工を示す図
【図３】図２の熱交換形換気装置の制御ブロック図
【図４】同熱交換形換気装置の他の施工を示す図
【図５】図４の熱交換形換気装置の制御ブロック図
【図６】同熱交換形換気装置の他の施工を示す図
【図７】従来の熱交換形換気装置を示す側面構成図
【発明を実施するための形態】
【００１５】
本発明の一態様に係る熱交換形換気装置は、給気用モータを備えた給気用送風機と、排気用モータを備えた排気用送風機と、前記給気用送風機により屋外から室内に送風される給気経路と、前記排気用送風機により室内から屋外に送風される排気経路と、前記給気経路と前記排気経路とが交差する位置に設けられ、室内の空気と屋外の空気を換気する際に熱交換するための熱交換素子と、前記給気経路内に設けられた給気風量調整ダンパとを備えた熱交換形換気装置において、制御部により、前記給気用送風機のＯＮ／ＯＦＦ、前記排気用送風機のＯＮ／ＯＦＦ、および前記給気風量調整ダンパの開／閉を制御し、前記給気経路はユニタリー空調の循環風路に直接的に接続され、前記排気経路は前記循環風路以外の屋内空間に直接的に接続され、前記排気経路内であって前記熱交換素子の上流側に室内温度検出手段を設け、前記室内温度検出手段により検出した室内温度をＴｉ、前記ユニタリー空調の設定温度をＴｕ、所定温度をα１、α２とすると、前記制御部は、「前記ユニタリー空調がＯＮ」且つ「Ｔｉ≦Ｔｕ−α１またはＴｕ＋α２≦Ｔｉ」である場合は、「前記排気用送風機がＯＦＦ」且つ「前記給気風量調整ダンパが閉」となるように制御し、「前記ユニタリー空調がＯＮ」且つ「Ｔｕ−α１＜Ｔｉ＜Ｔｕ＋α２」である場合は、「前記排気用送風機がＯＮ」且つ「前記給気風量調整ダンパが開」となるように制御する構成を有する。
【００１６】
これにより、ユニタリー空調の運転時に外気の導入を抑制することで、ユニタリー空調の負荷を下げユニタリー空調の消費電力を削減できるとともに、屋内環境をすばやく空調し快適環境をすばやく実現することができる。
【００１７】
以下、本発明の実施の形態について図面を参照しながら説明する。
【００１８】
（実施の形態１）
第１の実施の形態の熱交換形換気装置について、図１を用いて内部の構成と給気経路、排気経路について説明する。
【００１９】
図１に示すように、熱交換形換気装置１は、箱形の本体の側面に外気吸込口２、室内空気排気口３、そして、この側面に対向した側面に外気給気口４、室内空気吸込口５を設けている。
【００２０】
また、熱交換形換気装置１は、新鮮な屋外の空気（給気空気）を側面の外気吸込口２から吸込み、熱交換形換気装置１の内部の熱交換素子６を通って外気給気口４から室内に供給される給気経路７を備えている。
【００２１】
一方、汚染された室内の空気（排気空気）は室内空気吸込口５から吸い込まれ、熱交換素子６を通って室内空気排気口３から室外に排気される排気経路８を備えている。このとき、熱交換素子６は、排気される空気の熱量を給気される空気に供給する、または、給気される空気の熱量を排気される空気の熱量に供給する、熱回収の機能を有している。
【００２２】
外気吸込口２から導入される新鮮な屋外空気（給気空気）と、室内空気吸込口５から導入される汚染された室内の空気（排気空気）は、給気用送風機９と排気用送風機１０の運転によりそれぞれ給気経路７と排気経路８を流れる。
【００２３】
熱交換素子６は、給気経路７と排気経路８とが交差する位置に配設される。熱交換素子６の室外空気吸込側および室内空気吸込側にはそれぞれ空気清浄フィルター１２が配設される。また、外気吸込口２、室内空気排気口３、外気給気口４、室内空気吸込口５には、それぞれダクトが接続できる形状となっている。
【００２４】
排気経路８内であって熱交換素子６の上流側に、室内温度を検出する室内温度検出手段１３を設けている。
【００２５】
ここで、本実施の形態における特徴的な部分、すなわち、制御部１１の風量調整ダンパ動作および製品動作について説明する。
【００２６】
図２に本実施の形態の施工図を示す。ユニタリー空調１４は、建物内の機械室などに設置され、室内とダクトで接続し、室内の循環風路１５を形成する。
【００２７】
ユニタリー空調１４は、設定された室内温度となるように、冷房・暖房を行い、循環風路１５に送風し、屋内の複数の部屋の中を空気が循環することで、屋内を所定温度に制御する。
【００２８】
通常の循環風路は、ユニタリー空調１４を介した温度調節経路であり、屋内の換気は行われておらず、屋内には屋外の新鮮な空気の供給はない。そこで循環風路１５に給気経路７を接続することで、屋内循環で温度調節をしながら、同時に熱交換気を行い、屋外の新鮮空気を熱回収しながら屋内に取り入れる。このとき、熱交換素子６の下流側の給気経路７がユニタリー空調１４の循環風路１５に接続される。
【００２９】
このとき、ユニタリー空調１４は屋内循環運転を行っているが、熱交換形換気装置１の外気給気口４にはユニタリー空調１４の送風機能により負圧がかかる。これにより、熱交換形換気装置１の給気経路７はユニタリー空調１４に引っ張られる形で設計以上の風量が流れることとなり、特に冬期の場合は、低温外気が多量に流れ結露などの不具合がおこる可能性がある。これを抑制するために、給気経路７において熱交換形換気装置１とユニタリー空調１４の循環風路１５との間に、ユニタリー空調１４からの負圧を相殺するための給気風量調整ダンパ１６を設ける。給気風量調整ダンパ１６は、熱交換形換気装置１の給気風量を実測しながら、所定風量となるように、開口面積（開口率）を調整することでダンパ角度を決定する。
【００３０】
ユニタリー空調１４により屋内循環で温度調整をしながら、同時に熱交換形換気装置１により熱交換気を行い、屋外の新鮮空気を熱回収しながら屋内に取り入れる換気ができる。
【００３１】
この一方で、特にユニタリー空調起動時は、室内を設定温度まで温度調節する際に、循環風路１５に、例えば冬期における暖房時に熱交換後の外気が導入されることは、循環運転に比べ空調負荷を大きくすることとなり、室内が設定温度に到達する時間が長くなる。
【００３２】
これは、夏期における冷房時においても同様である。すなわち、夏期における冷房時に熱交換後の外気が導入されることは、循環運転に比べ空調負荷を大きくすることとなり、室内が設定温度に到達する時間が長くなる。
【００３３】
本実施の形態では、図３のように、制御部１１により、給気用送風機９、排気用送風機１０、給気風量調整ダンパ１６を制御する。ユニタリー空調の運転時に外気の導入を抑制することにより、ユニタリー空調の負荷を下げユニタリー空調の消費電力を削減できるとともに、屋内環境をすばやく空調し快適環境をすばやく実現することができる。
【００３４】
制御部１１は、室内温度検出手段１３から得られた室内温度と、ユニタリー空調１４の設定温度とを比較することにより、制御を行う。
【００３５】
具体的に図３の制御動作を説明する。図３において、室内温度検出手段１３により検出した室内温度をＴｉ、ユニタリー空調１４の設定温度をＴｕ、所定温度をα１、α２とする。
【００３６】
ユニタリー空調１４が停止中は熱交換形換気装置１は運転しない。
【００３７】
室内温度調節のために、ユニタリー空調１４を起動する際、熱交換形換気装置１は、直ぐに熱交換気運転を開始しない。
【００３８】
まず、制御部１１は給気経路７内の給気風量調整ダンパ１６を閉じたままで、排気用送風機１０のみを起動し、室内空気を熱交換形換気装置１内へ導入する。
【００３９】
熱交換形換気装置１内の室内温度検出手段１３にて室内温度Ｔｉを検出し、Ｔｉ≦Ｔｕ−α１またはＴｕ＋α２≦Ｔｉである場合は、制御部１１は、室内温度Ｔｉがユニタリー空調設定温度Ｔｕ近くまで到達していないと判断し、排気用送風機１０を停止し且つ給気風量調整ダンパ１６が閉となるように制御する。
【００４０】
これにより、ユニタリー空調１４が室内循環運転する。ユニタリー空調１４のみの循環運転を一定時間継続したｔ１時間後、排気用送風機１０を再度起動し、室内温度検出手段１３にて室内温度Ｔｉを検出する。
【００４１】
このとき、Ｔｕ−α１＜Ｔｉ＜Ｔｕ＋α２である場合は、制御部１１は、室内温度Ｔｉがユニタリー空調設定温度Ｔｕ近くに到達したと判断し、排気用送風機１０および給気用送風機９を起動し、給気風量調整ダンパ１６を開くように制御する。
【００４２】
これにより、屋内温度がユニタリー空調１４の設定温度Ｔｕ近くに到達した後は、熱交換形換気装置１を起動し、屋外の新鮮空気を熱回収しながら屋内に取り入れる換気を継続できる。その後、Ｔｉ≦Ｔｕ−α１またはＴｕ＋α２≦Ｔｉとなった場合は、制御部１１は、室内温度Ｔｉがユニタリー空調設定温度Ｔｕ近くまで到達していないと判断し、排気用送風機１０を停止し且つ給気風量調整ダンパ１６が閉となるように制御し、再びユニタリー空調１４のみで室内循環運転をｔ１時間行う。
【００４３】
途中でユニタリー空調１４の設定温度Ｔｕが変更されたときには、制御部１１は、室内温度検出手段１３にて室内温度Ｔｉを検出し、Ｔｕ−α１＜Ｔｉ＜Ｔｕ＋α２であるかどうかを確認する。Ｔｕ−α１＜Ｔｉ＜Ｔｕ＋α２である場合は、制御部１１は、再び給気風量調整ダンパ１６を開き、給気用送風機９、排気用送風機１０を運転し、熱交換運転を継続する。
【００４４】
その後、設定温度Ｔｕが変更されない場合、所定時間ｔ２時間後には、再度室内温度Ｔｉを検出し、室内環境の確認を行う。Ｔｉ≦Ｔｕ−α１またはＴｕ＋α２≦Ｔｉである場合は、給気風量調整ダンパ１６を閉じ、給気用送風機９、排気用送風機１０を停止し、ユニタリー空調１４の循環運転を行い、室内の温度調節を行う。
【００４５】
図３に示す制御を行うことにより、まず室内環境をユニタリー空調１４の設定温度Ｔｕ近くまで小さい負荷で温度調節し、室内環境が目標温度近くに到達次第、熱交換気運転を行い、熱回収した新鮮空気を取り込みながら省エネを図りつつ快適環境を実現することができる。
【００４６】
なお、図３において「Ｔｉ≦Ｔｕ−α１またはＴｕ＋α２≦Ｔｉ」である場合に給気用送風機をＯＦＦとしたが、給気用送風機をＯＮのままにしてもよい。これは、給気風量調整ダンパを閉じた状態にするので、給気用送風機をＯＮにしたとしても給気を停止することができるからである。
【００４７】
また、図４の他の施工を示す図のように、屋内の循環風路１５に排気経路８を接続してもよい。ユニタリー空調１４は屋内循環運転を行っているが、熱交換形換気装置１の室内空気吸込口５にはユニタリー空調１４の送風機能により負圧がかかる。これにより、熱交換形換気装置１の排気経路８はユニタリー空調１４に引っ張られる形で設計風量を流すことができず、特に冬期の場合は、低温外気風量に対して高温な室内風量が流れにくくなり、熱交換しない外気が給気経路７を通り室内に直接流れ、結露や冷風感などの不具合がおこる可能性がある。これを抑制するために、排気経路８において熱交換形換気装置１とユニタリー空調１４の循環風路１５との間に、ユニタリー空調１４からの負圧を相殺するための排気風量調整ダンパ１７を設ける。排気風量調整ダンパ１７は、熱交換形換気装置１の排気風量を実測しながら、所定風量となるように、開口面積（開口率）を調整することでダンパ角度を決定する。
【００４８】
具体的に図５の制御動作を説明する。図５において、室内温度検出手段１３により検出した室内温度をＴｉ、ユニタリー空調１４の設定温度をＴｕ、所定温度をα１、α２とする。
【００４９】
ユニタリー空調１４が停止中は熱交換形換気装置１は運転しない。
【００５０】
室内温度調節のために、ユニタリー空調１４を起動する際、熱交換形換気装置１は、直ちに熱交換気運転を開始しない。
【００５１】
まず、制御部１１は給気経路７内の給気風量調整ダンパ１６を閉じ、排気経路８内の排気風量調整ダンパ１７を開き、排気用送風機１０のみを起動し、室内空気を熱交換形換気装置１内へ導入する。
【００５２】
熱交換形換気装置１内の室内温度検出手段１３にて室内温度Ｔｉを検出し、Ｔｉ≦Ｔｕ−α１またはＴｕ＋α２≦Ｔｉである場合は、制御部１１は、室内温度Ｔｉがユニタリー空調設定温度Ｔｕ近くまで到達していないと判断し、排気用送風機１０を停止し且つ給気風量調整ダンパ１６および排気風量調整ダンパ１７が閉となるように制御する。
【００５３】
これにより、ユニタリー空調１４が室内循環運転する。ユニタリー空調１４のみの循環運転を一定時間継続したｔ１時間後、排気用送風機１０を再度起動し、排気風量調整ダンパ１７を開き、室内温度検出手段１３にて室内温度Ｔｉを検出する。
【００５４】
このとき、Ｔｕ−α１＜Ｔｉ＜Ｔｕ＋α２である場合は、室内温度Ｔｉがユニタリー空調設定温度Ｔｕ近くに到達したと判断し、排気用送風機１０および給気用送風機９を起動し、給気風量調整ダンパ１６、排気風量調整ダンパ１７を開くように制御する。
【００５５】
これにより、室内温度Ｔｉがユニタリー空調１４設定温度Ｔｕ近くまで到達した後は、熱交換形換気装置１を起動し、屋外の新鮮空気を熱回収しながら屋内に取り入れる換気を継続できる。その後、Ｔｉ≦Ｔｕ−α１またはＴｕ＋α２≦Ｔｉとなった場合は、室内温度Ｔｉがユニタリー空調設定温度Ｔｕ近くまで到達していないと判断し、給気風量調整ダンパ１６および排気風量調整ダンパ１７が閉となるように制御し、再びユニタリー空調１４のみで室内循環運転をｔ１時間行う。
【００５６】
途中でユニタリー空調１４の設定温度Ｔｕが変更されたときには、制御部１１は、室内温度検出手段１３にて室内温度Ｔｉを検出し、Ｔｕ−α１＜Ｔｉ＜Ｔｕ＋α２であるかどうかを確認する。Ｔｕ−α１＜Ｔｉ＜Ｔｕ＋α２である場合は、制御部１１は、再び給気風量調整ダンパ１６および排気風量調整ダンパ１７を開き、給気用送風機９および排気用送風機１０を運転し、熱交換運転を継続する。
【００５７】
その後、設定温度Ｔｕが変更されない場合、所定時間ｔ２時間後には、再度室内温度Ｔｉを検出し、室内環境の確認を行う。Ｔｉ≦Ｔｕ−α１またはＴｕ＋α２≦Ｔｉである場合は、給気風量調整ダンパ１６および排気風量調整ダンパ１７を閉じ、給気用送風機９および排気用送風機１０を停止し、ユニタリー空調１４の循環運転を行い、室内の温度調節を行う。
【００５８】
図５に示す制御を行うことにより、まず室内環境をユニタリー空調１４の設定温度Ｔｕ近くまで小さい負荷で温度調節し、室内環境が目標温度近くに到達次第、熱交換気運転を行い、熱回収した新鮮空気を取り込みながら省エネを図りつつ快適環境を実現することができる。
【００５９】
なお、図５において「Ｔｉ≦Ｔｕ−α１またはＴｕ＋α２≦Ｔｉ」である場合に給気用送風機および排気用送風機をＯＦＦとしたが、給気用送風機および／または排気用送風機をＯＮのままにしてもよい。これは、給気風量調整ダンパおよび排気風量調整ダンパを閉じた状態にするので、給気用送風機および／または排気用送風機をＯＮにしたとしても給気および排気を停止することができるからである。
【００６０】
また、図６に示すように、給気風量調整ダンパ１６および排気風量調整ダンパ１７を熱交換形換気装置１の本体内部に設けても良い。
【００６１】
また、図示しないが、図２の給気風量調整ダンパ１６を熱交換形換気装置１の本体内部に設けても良い。
【００６２】
以下、本実施形態について補足する。
【００６３】
ユニタリー空調１４（ｕｎｉｔａｒｙ  ａｉｒ  ｃｏｎｄｉｔｉｏｎｉｎｇ）は、全館空調あるいはセントラル空調（ｃｅｎｔｒａｌ  ａｉｒ  ｃｏｎｄｉｔｉｏｎｉｎｇ）の概念を含むものである。
【００６４】
また、制御部１１は熱交換形換気装置１に設けたが、熱交換形換気装置１に設けなくてもよい。この場合、熱交換形換気装置１から離れた位置にある制御部１１により制御が行われる。
【００６５】
また、α１は１℃等、例えば０．１℃〜３℃の何れかの値を取り得る定数である。
【００６６】
また、α２は１℃等、例えば０．１℃〜３℃の何れかの値を取り得る定数である。
【００６７】
また、「給気風量調整ダンパが閉」とは給気風量調整ダンパが全閉の場合を含む。「排気風量調整ダンパが閉」とは排気風量調整ダンパが全閉の場合を含む。
【００６８】
また、ユニタリー空調１４が停止中は熱交換形換気装置１は運転しない、としたが、ユニタリー空調１４が停止中であっても、熱交換形換気装置１は運転可能である。この場合、循環風路１５に、室内と連通する連通口を別途設ければ、ユニタリー空調１４を経由しない風路が形成できるため、スムーズな熱交換運転が可能となる。なお、このとき、循環風路１５に設ける連通口は、開閉できることが好ましく、ユニタリー空調がＯＮのときは閉じた状態となり、ユニタリー空調がＯＦＦのときは開いた状態となることが好ましい。
【００６９】
また、実施の形態では、給気経路７は、ユニタリー空調１４の上流側における循環風路１５に接続したが、ユニタリー空調１４の下流側における循環風路１５に接続してもよい。
【００７０】
以上、本発明に係る熱交換形換気装置について、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００７１】
本発明にかかる換気装置は、外気と室内空気の熱交換を目的とするダクト式の換気装置、ダクト式の空気調和装置などの用途としても有効である。
【符号の説明】
【００７２】
１    熱交換形換気装置
２    外気吸込口
３    室内空気排気口
４    外気給気口
５    室内空気吸込口
６    熱交換素子
７    給気経路
８    排気経路
９    給気用送風機
１０    排気用送風機
１１    制御部
１２    空気清浄フィルター
１３    室内温度検出手段
１４    ユニタリー空調
１５    循環風路
１６    給気風量調整ダンパ
１７    排気風量調整ダンパ
【図１】
2019027606.tif 000003
【図２】
2019027606.tif 000004
【図３】
2019027606.tif 000005
【図４】
2019027606.tif 000006
【図５】
2019027606.tif 000007
【図６】
2019027606.tif 000008
【図７】
2019027606.tif 000009